(57)【要約】      （修正有）【課題】簡単、容易な作業によって、保安灯を工事現場の立ち入りを規制する鋼製パネル、鋼製部品を有するバリケードに設置できる保安灯スタンドを提供する。【解決手段】保安灯スタンドＸは、基礎台座１と、基礎台座１の裏面に固定される永久磁石と、基礎台座１の表面に立設され、基礎台座１に固定される基礎支柱体と、基礎支柱体に旋回自在に支持される旋回軸体と、旋回軸体に取付けられ、保安灯Ｙ１を保持する灯保持具９で構成する。保安灯スタンドＸは、永久磁石の磁力によって、単管バリケードＺ１の単管１０２（鋼管）に固定され、保安灯Ｙ１を単管バリケードＺ１に設置する。【選択図】図１７
0003203719.tif 000002
【実用新案登録請求の範囲】
【請求項１】
工事現場の立ち入りを規制する鋼製パネル、鋼製部品を有するバリケードに取付けられ、保安灯を保持する保安灯スタンドであって、
基礎台座と、
前記基礎台座の裏面に固定される永久磁石と、
前記基礎台座の表面に立設され、前記基礎台座に固定される基礎支柱体と、
前記基礎支柱体に旋回自在に支持され、前記基礎支柱体の軸心線と直交する軸心直交方向に旋回される旋回軸体と、
前記旋回軸体に取付けられ、前記保安灯を保持する灯保持具と、
を備える
ことを特徴とする保安灯スタンド。
【請求項２】
基礎台座と、
前記基礎台座の裏面に固定される永久磁石と、
前記基礎台座の表面に立設され、前記基礎台座に固定される基礎支柱体と、
前記基礎支柱体に旋回自在に支持され、前記基礎支柱体の軸心線と直交する軸心直交方向に旋回される旋回軸体と、
前記旋回軸体に取付けられ、保安灯を保持する灯保持具と、
を備える
ことを特徴とする保安灯スタンド。
【請求項３】
座金と、
バネ材と、を備え、
前記基礎支柱体は、
一方軸端から前記基礎台座の表面に立設され、前記基礎台座に固定される円支柱と、
一方端を閉塞し、他方端の開口から前記円支柱の他方軸端側に外嵌されて前記円支柱に取付けられる円筒支柱と、
を備え、
前記円筒支柱は、
前記円筒支柱の他方端に開口され、前記円支柱体の他方軸端側が挿入される円形穴と、
前記円筒支柱の一方端側に形成され、前記円形穴に連続する半球状穴と、
前記円筒支柱の一方端に形成され、前記軸心直交方向にて前記円筒支柱を貫通して、前記半球状穴に開口される旋回横穴と、
前記円筒支柱の外周面に形成され、前記旋回横穴の各穴端から前記基礎支柱体の軸心線方向に延在して、前記半球状穴及び前記円形穴に開口される複数の旋回縦穴と、
を有し、
前記旋回軸体は、
前記円筒支柱の前記半球状穴内に配置され、前記半球状穴の内周面に摺接される球状部材と、
前記球状部材に連結され、前記旋回横穴を挿通して前記旋回横穴及び前記各旋回縦穴に沿って旋回される旋回軸と、
を有し、
前記座金は、
前記円筒支柱の前記円形穴内に挿入され、前記球状部材に当接され、
前記バネ材は、
前記円筒支柱の前記円形穴に挿入され、前記座金及び前記円支柱の他方軸端間に配置され、
前記球状部材を前記半球状穴の内周面に付勢する
ことを特徴とする請求項１又は２に記載の保安灯スタンド。
【請求項４】
スナップリングを備え、
前記円支柱は、
前記基礎支柱体の軸心線と同心に配置され、前記円支柱の他方軸端側に位置して前記円支柱の外周に開口され、及び前記円支柱の周方向にわたって形成される柱側環状リング溝を有し、
前記円筒支柱は、
前記基礎支柱体の軸心線と同心に配置され、前記円筒支柱の他方端側に位置して前記円形穴に開口され、及び前記円筒支柱の周方向にわたって形成される筒側環状リング溝を有し、
前記柱側環状リング溝は、
前記円形穴内にて前記筒側環状リング溝に対向され、
前記スナップリングは、
前記円支柱の前記柱側環状リング溝内に挿入され、
前記円形穴内にて前記円筒支柱の前記筒側環状リング溝内に挿入されて、前記筒側環状リング溝の溝底面に付勢される
ことを特徴とする請求項３に記載の保安灯スタンド。
【請求項５】
前記円筒支柱は、
前記円支柱の他方軸端側に回転自在に外嵌され、
前記円支柱は、
前記基礎支柱体の軸心線と同心に配置され、前記円支柱体の他方軸端側に位置して前記円形穴内に開口され、及び前記円支柱の周方向にわたって形成される環状ボール溝と、
前記環状ボール溝の溝底面に形成され、前記環状ボール溝内に開口するボール溝穴と、
前記環状ボール溝内に転動自在に配置され、前記円形穴の内周面に摺接される転動ボールと、
前記ボール溝穴内に挿入され、前記円支柱に取付けられる固定ボールと、
を有し、
前記固定ボールは、
ボールの一部を前記ボール溝穴から前記環状ボール溝内に突出して、前記転動ボールと当接自在にされる
ことを特徴とする請求項３又は４に記載の保安灯スタンド。
【考案の詳細な説明】
【技術分野】
【０００１】
本考案は、工事現場の立ち入りを規制（禁止）する鋼製パネル、鋼製部品を有するバリケードに取付けられ、保安灯を保持する保安灯スタンドに関する。
【背景技術】
【０００２】
表示ユニットをバリケードに取付ける技術として、特許文献１は、ボルト付連結具を開示する。ボルト付連結具は、表示ユニットを保持し、バリケードに取付けられる。ボルト付連結具は、ボルト及び平板間にバリケードの板材（金属パイプ）を配置して、ボルトを回転してボルト締めすることでバリケードに取付けられる。
【先行技術文献】
【特許文献】
【０００３】
【特許文献１】特開平０８−１１４０４７号公報
【考案の概要】
【考案が解決しようとする課題】
【０００４】
しかしながら、特許文献１では、表示ユニットをバリケードに設置するには、ボルト付連結具を使用し、ボルトを回転してボルト締めする必要があり、表示ユニットをバリケードに設置するための作業性に劣る。
【０００５】
本考案は、簡単、容易な設置作業によって、保安灯を工事現場の立ち入りを規制する鋼製パネル、鋼製部品を有するバリケードに設置できる保安灯スタンドを提供することにある。
【課題を解決するための手段】
【０００６】
本考案に係る請求項１は、工事現場の立ち入りを規制する鋼製パネル、鋼製部品を有するバリケードに取付けられ、保安灯を保持する保安灯スタンドであって、基礎台座と、前記基礎台座の裏面に固定される永久磁石と、前記基礎台座の表面に立設され、前記基礎台座に固定される基礎支柱体と、前記基礎支柱体に旋回自在に支持され、前記基礎支柱体の軸心線と直交する軸心直交方向に旋回される旋回軸体と、前記旋回軸体に取付けられ、前記保安灯を保持する灯保持具と、を備えることを特徴とする保安灯スタンドである。
【０００７】
本考案に係る請求項２は、基礎台座と、前記基礎台座の裏面に固定される永久磁石と、前記基礎台座の表面に立設され、前記基礎台座に固定される基礎支柱体と、前記基礎支柱体に旋回自在に支持され、前記基礎支柱体の軸心線と直交する軸心直交方向に旋回される旋回軸体と、前記旋回軸体に取付けられ、保安灯を保持する灯保持具と、を備えることを特徴とする保安灯スタンドである。
【０００８】
本考案に係る請求項３は、座金と、バネ材と、を備え、前記基礎支柱体は、一方軸端から前記基礎台座の表面に立設され、前記基礎台座に固定される円支柱と、一方端を閉塞し、他方端の開口から前記円支柱の他方軸端側に外嵌されて前記円支柱に取付けられる円筒支柱と、を備え、前記円筒支柱は、前記円筒支柱の他方端に開口され、前記円支柱の他方軸端側が挿入される円形穴と、前記円筒支柱の一方端側に形成され、前記円形穴に連続する半球状穴と、前記円筒支柱の一方端に形成され、前記軸心直交方向にて前記円筒支柱を貫通して、前記半球状穴に開口される旋回横穴と、前記円筒支柱の外周面に形成され、前記旋回横穴の各穴端から前記基礎支柱体の軸心線方向に延在して、前記半球状穴及び前記円形穴に開口される複数の旋回縦穴と、を有し、前記旋回軸体は、前記円筒支柱の前記半球状穴内に配置され、前記半球状穴の内周面に摺接される球状部材と、前記球状部材に連結され、前記旋回横穴を挿通して前記旋回横穴及び前記各旋回縦穴に沿って旋回される旋回軸と、を有し、前記座金は、前記円筒支柱の前記円形穴に挿入され、前記球状部材に当接され、前記バネ材は、前記円筒支柱の前記円形穴に挿入され、前記座金及び前記円支柱の他方軸端間に配置され、前記球状部材を前記半球状穴の内周面に付勢することを特徴とする請求項１又は２に記載の保安灯スタンドである。
【０００９】
本考案に係る請求項４は、スナップリングを備え、前記円支柱は、前記基礎支柱体の軸心線と同心に配置され、前記円支柱の他方軸端側に位置して前記円支柱の外周に開口され、及び前記円支柱の周方向にわたって形成される柱側環状リング溝を有し、前記円筒支柱は、前記基礎支柱体の軸心線と同心に配置され、前記円筒支柱の他方端側に位置して前記円形穴に開口され、及び前記円筒支柱の周方向にわたって形成される筒側環状リング溝を有し、前記柱側環状リング溝は、前記円形穴内にて前記筒側環状リング溝に対向され、前記スナップリングは、前記円支柱の前記柱側環状リング溝内に挿入され、前記円形穴内にて前記円筒支柱の前記筒側環状リング溝内に挿入され、前記筒側環状リング溝の溝底面に付勢されることを特徴とする請求項３に記載の保安灯スタンドである。
【００１０】
本考案に係る請求項５は、前記円筒支柱は、前記円支柱の他方軸端側に回転自在に外嵌され、前記円支柱は、前記基礎支柱体の軸心線と同心に配置され、前記円支柱の他方軸端側に位置して前記円形穴内に開口され、及び前記円支柱の周方向にわたって形成される環状ボール溝と、前記環状ボール溝の溝底面に形成され、前記環状ボール溝内に開口するボール溝穴と、前記環状ボール溝内に転動自在に配置され、前記円形穴の内周面に摺接される転動ボールと、前記ボール溝穴内に挿入され、前記円支柱に取付けられる固定ボールと、を有し、前記固定ボールは、ボールの一部を前記ボール溝穴から前記環状ボール溝内に突出して、前記転動ボールと当接自在にされることを特徴とする請求項３又は４に記載の保安灯スタンドである。
【考案の効果】
【００１１】
本考案に係る請求項１によれば、工事現場の立ち入りを規制する鋼製パネル、鋼製製品を有するバリケードに対して、保安灯スタンドを永久磁石の磁力によって取付けることができ、保安灯を鋼製パネルや鋼製備品を有するバリケードに簡単、容易な施業で設置できる。
請求項１では、旋回軸体を基礎支柱体に対して旋回することで、灯保持具を任意の位置に配置でき、これにより、灯保持具で保持する保安灯の位置も変更できる。
【００１２】
本考案に係る請求項２は、鉄、鋼等の磁性体の工場用製品等に対して、保安灯スタンドを永久磁石の磁力によって取付けることができ、保安灯を工事用製品等に簡単、容易な作業で設置できる。
請求項２では、旋回軸体を基礎支柱体に対して旋回することで、灯保持具を任意の位置に配置でき、これにより、灯保持具で保持する保安灯の位置も変更できる。
【００１３】
本考案に係る請求項３によれば、バネ材は、旋回軸体の球状部材を円筒支柱の半球状穴の内周面に付勢（圧接）する。
これにより、旋回軸体は、バネ材の付勢力（バネ力）によって、基礎支柱体（円筒支柱）に対し旋回止めされる。
請求項３では、バネ材の付勢力（バネ力）に抗して、灯保持具及び旋回軸を任意の位置（任意の旋回角度）まで旋回できる。旋回した後において、旋回軸体の球状部材は、バネ材の付勢力（バネ力）によって円筒支柱の半球状穴の内周面に付勢（圧接）される。
これにより、旋回軸体及び灯保持具は、バネ材の付勢力（バネ力）によって旋回止めされ、旋回軸体及び灯保持具を旋回した任意の位置（任意の旋回角度）に保持できる。
【００１４】
本考案に係る請求項４によれば、スナップリングは、筒側環状リング溝内の挿入に伴って、筒側環状リング溝の溝底面（溝内周面）に付勢（圧接）される。
これにより、各リング溝内に挿入されたスナップリングによって、円筒支柱を基礎支円支柱２５に対し抜止めできる。
【００１５】
本考案に係る請求項５によれば、スナップリングの付勢力（バネ力）に抗して、円筒支柱を円支柱に対して回転できる。回転した後において、スナップリングは、筒側環状リング溝の溝底面に付勢（圧接）される。
これにより、円筒支柱は、スナップリングの付勢力（バネ力）によって回り止めされ、灯保持具を任意の位置（任意の回転角）に保持できる。
請求項５では、円筒支柱を回転すると、転動ボールは、円形穴の内周面に摺接し、及び環状ボール溝の溝面に摺接しつつ、環状ボール溝内を転動する。環状ボール溝内を転動する転動ボールは、固定ボールに当接し、更に、円筒支柱を回転すると、固定ボール及び円形穴の内周面間に噛込まれる。
これにより、円筒支柱は、転動ボール及び固定ボールによって、回り止めされ、円筒支柱の回転が角度：約３６０度を超えることを規制できる。
【図面の簡単な説明】
【００１６】
【図１】保安灯スタンドを示す斜視図である。
【図２】保安灯スタンドを示す上面図である。
【図３】保安灯スタンドを示す裏面図である。
【図４】図１のＡ−Ａ断面図である。
【図５】図１のＢ−Ｂ断面図である。
【図６】図４の要部拡大断面図である。
【図７】図４のＣ−Ｃ断面図（拡大図）である。
【図８】図４のＤ−Ｄ断面図（拡大図）である。
【図９】保安灯スタンドを構成する円支柱（基礎支柱体）を示す図であって、（ａ）は上面図、（ｂ）はボール溝穴を示す側面図、（ｃ）は側面図、（ｄ）は図９（ｂ）のＥ−Ｅ断面図、（ｅ）は底面図、（ｆ）は図９（ｄ）の要部拡大断面図、（ｇ）はスナップリング、転動ボール及び固定ボールを配置した図９（ｄ）の要部拡大断面図である。
【図１０】保安灯スタンドを構成する円筒支柱（基礎支柱体）を示す図であって、（ａ）は上面図、（ｂ）は旋回横穴及び旋回縦穴を示す側面図、（ｃ）は側面図、（ｄ）は図１０（ａ）のＦ−Ｆ断面図、（ｅ）は底面図である。
【図１１】保安灯スタンドを構成する旋回軸体を示す図であって、（ａ）は上面図、（ｂ）は側面図、（ｃ）は図１１（ａ）のＧ−Ｇ断面図、（ｄ）は底面図である。
【図１２】保安灯スタンドの分解斜視図である。
【図１３】保安灯スタンドを示す図であって、旋回軸体及び灯保持具を基礎支柱体の軸心線と直交する位置に旋回した斜視図である。
【図１４】保安灯スタンドを示す図であって、旋回軸体及び灯保持具を基礎支柱体の軸心線と直交する位置に旋回した断面図である。
【図１５】図４のＤ−Ｄ断面拡大図であって、（ａ）は転動ボールが一方側から固定ボールに当接した状態を示す断面図、（ｂ）は転動ボールが他方から固定ボールに当接した状態を示す断面図である。
【図１６】保安灯スタンドを単管バリケードに適用した図であって、保安灯を保安灯スタンドに保持する前の斜視図である。
【図１７】保安灯スタンドを単管バリケードに適用した図であって、保安灯を保安灯スタンドで保持した斜視図である。
【図１８】図１７の要部拡大側面図である。
【図１９】保安灯スタンドを仮囲い（鋼製パネル）に適用した図であって、保安灯を保安灯スタンドで保持した斜視図である。
【図２０】保安灯スタンドを仮囲い（鋼製パネル）に適用した図であって、（ａ）は図１９の要部拡大側面図、（ｂ）は図１９の要部拡大斜視図である。
【考案を実施するための形態】
【００１７】
本考案に係る保安灯スタンドについて、図１乃至図２０を参照して説明する。
【００１８】
図１乃至図１２において、保安灯スタンドＸは、基礎台座１、永久磁石２、基礎支柱体３、旋回軸体５、座金６、バネ材７、第１取付ナット８、灯保持具９及び第２取付ナット１０を備える。
【００１９】
＜基礎台座１＞
基礎台座１は、図１乃至図６、及び図１２に示すように、台座平板１５、台座側周平板１６を有する。
台座平板１５は、例えば、円形平板に形成される。台座平板１５は、台座穴１７を有する。台座穴１７は、台座平板１５の板中心に形成される。台座穴１７は、台座平板１５を貫通して、基礎台座１（台座平板１５）の表面１Ａ及び裏面１Ｂに開口される。
台座側周平板１６は、基礎台座１の裏面１Ｂに配置される。台座側周平板１６は、台座平板１５外縁に沿って配置され、台座平板１５に連結される。台座側周平板１６は、切込み溝１８を有する。
【００２０】
＜永久磁石２＞
永久磁石２は、図３乃至図６、及び図１２に示すように、基礎台座１（台座平板１５）の裏面１Ｂに固定される。
永久磁石２は、例えば、円形平板に形成される。永久磁石２は、磁石穴１９を有する。磁石穴１９は、永久磁石２の板中心に形成される。磁石穴１９は、永久磁石２を貫通して、永久磁石２の表面２Ａ及び裏面２Ｂに開口する。磁石穴１９は、図４乃至図６に示すように、永久磁石２の表面２Ａに開口する小径磁石穴１９Ａ、及び小径磁石穴１９Ａから拡径して永久磁石２の裏面１Ｂに開口する大径磁石穴１９Ｂで構成される。
永久磁石２は、表面２Ａを基礎台座１（台座平板１５）の裏面１Ｂに当接して、台座側周平板１６内に配置される。永久磁石２は、磁石穴１９（小径磁石穴１９Ａ，大径磁石穴１９Ｂ）を台座穴１７に連通して配置される。
永久磁石２の裏面２Ｂは、台座平板１５に平行して、台座側周平板１６から突出される。
【００２１】
＜基礎支柱体３＞
基礎支柱体３は、図１、図４乃至図６、及び図１２に示すように、基礎台座１（台座平板１５）の表面１Ａに立設され、基礎台座１に固定される。
【００２２】
基礎支柱体３は、図１、図４乃至図６、図９、図１０及び図１２に示すように、円支柱２５、及び円筒支柱２６を有する。
【００２３】
円支柱２５は、図４乃至図６、図９及び図１２に示すように、大径円支柱２５Ａ及び小径円支柱２５Ｂで構成される。小径円支柱２５Ｂは、大径円支柱２５の一軸端２５ｃから縮径して形成される。大径円支柱２５Ａの他軸端２５ａは、円支柱２５の一方軸端（以下、「一方軸端２５ａ」という）となり、小径円支柱２５Ｂの一方軸端２５ｂは、円支柱２５の他方軸端（以下、「他方軸端２５ｂ」という）となる。小径円支柱２５Ｂは、円支柱２５の他方軸端２５ｂ側になる。
【００２４】
円支柱２５は、図４乃至図９に示すように、ネジ穴２７、柱側環状リング溝２８、環状ボール溝２９、ボール溝穴３０、転動ボール３１、固定ボール３２、及びスナップリング３３を有する。
【００２５】
ネジ穴２７は、基礎支柱体３の軸心線方向ＣＬにおいて、円支柱２５（大径円支柱２５Ａ，小径円支柱２５Ｂ）を貫通する。ネジ穴２７は、円支柱２５の一方軸端２５ａ（大径円支柱２５Ａの他軸端）に開口され、及び円支柱２５の他方軸端２５ｂ（小径円支柱２５Ｂの一方軸端）に開口される。
【００２６】
柱側環状リング溝２８は、基礎支柱体３の軸心線３ａと同心に配置される。柱側環状リング溝２８は、円支柱２５の小径円支柱２５Ｂ（他方軸端２５ｂ側）に位置される。
柱側環状リング溝２８は、基礎円支柱体３の軸心線３ａと直交する軸心直交方向ＣＨに溝深さを有し、例えば、断面長方形に形成される。柱側環状リング溝２８は、小径円支柱２５Ｂ（円支柱２５）の外周に形成される。
柱側環状リング溝２８は、小径円支柱２５Ｂ（円支柱２５）の外周に開口される。柱側環状リング溝２８は、円支柱２５（小径円支柱２５Ｂ）の周方向にわたって形成される。
【００２７】
環状ボール溝２９は、基礎支柱体３の軸心線３ａと同心に配置される。環状ボール溝２９は、円支柱２５の小径円支柱２５Ｂ（他方軸端２５ｂ側）に位置して、円支柱２５の他軸端２５ｂ及び柱側環状リング溝２８間に配置される。
環状ボール溝２９は、基礎支柱体３の軸心直交方向ＣＨに溝深さを有し、例えば、断面円孤状に形成される。環状ボール溝２９は、小径円支柱２５Ｂ（円支柱２５）の外周に形成される。環状リング溝２９は、小径円支柱２５Ｂ（円支柱２５）の外周に開口される。環状リング溝２９は、基礎支柱体３の周方向にわたって形成される。
環状リング溝２９において、溝深さは、転動ボール３１の直径より浅くされる。環状リング溝２９において、基礎支柱体３の軸心線方向ＣＬの溝幅は、転動ボールの直径と同等（僅かに広い溝幅）にされる。
【００２８】
ボール溝穴３０は、環状ボール溝２９の溝側面２９ａに形成される。ボール溝穴３０は、基礎支柱体３の軸心直交方向ＣＨに溝深さＨを有し、例えば、断面円孤状に形成される。ボール溝穴３０は、環状ボール溝２９内に開口される。ボール溝穴３０において、溝深さＨは、例えば、固定ボール３２の半径以上、直径未満にされる。
【００２９】
転動ボール３１は、環状ボール溝２９内に転動自在に配置される。転動ボール３１の一部は、基礎支持体３の軸心直交方向ＣＨにおいて、環状ボール溝２９から突出される。
転動ボール３１は、環状ボール溝２９内において、溝底面２９ａを含む溝面２９Ａに摺接（当接）しつつ転動される。
【００３０】
固定ボール３２は、環状ボール溝２９内に配置される。固定ボール３２は、ボール溝穴３０内に挿入され、円支柱２５（小径円支柱２５Ｂ）に取付けられる。固定ボール３２は、例えば、ボール溝穴３０に圧入され、円支柱２５に固定される。
固定ボール３２は、ボールの一部をボール溝穴３０から環状ボール溝２９内に突出して、転動ボール３１と当接自在に配置される。
【００３１】
スナップリング３３は、例えば、バネ鋼で「Ｃリング」に形成される。スナップリング３３は、円支柱２５の小径円支柱２５Ｂ（他方端２５ｂ側）に外嵌される。スナップリング３３は、柱側環状リング溝２８内に挿入される。
スナップリング３３（外周側）は、基礎支持体３の軸心直交方向ＣＨにおいて、柱側環状リング溝２８から突出される。
【００３２】
円支柱２５は、図１、図４乃至図６に示すように、一方軸端２５ａ（大径円支柱２５Ａの他方端）から基礎台座１（台座平板１５）に立設される。
円支柱２５は、ネジ穴２７を台座穴１７に連通して配置される。円支柱２５は、ボルト４によって、永久磁石２と同時に基礎台座１（台座平板１５）に固定される。ボルト４は、ボルトネジ軸４Ａを永久磁石２の裏面２Ｂから磁石穴１９及び台座穴１７に挿入し、円支柱２５のネジ穴２７に螺着する。ボルト４のボルト頭部４Ｂは、磁石穴１９内に収納される。
これにより、円支柱２５は、ボルト４によって基礎台座１（台座平板１５）の表面１Ａに立設され、基礎台座１（台座平板１５）に固定される。また、永久磁石２は、ボルト４によって基礎台座１（台座平板１５）の裏面１Ｂに固定される。
【００３３】
円筒支柱２６は、図１、図４乃至図６、図１０及び図１２に示すように、一方端２６ａを閉塞し、及び他方端２６ｂを開口してなる。
【００３４】
円筒支柱２６は、円形穴３５、半球状穴３６、旋回横穴５７、複数（一対）の旋回縦穴５８，５９及び筒側環状リング溝２８を有する。
【００３５】
円筒支柱２６の一方端２６ａは、例えば、基礎支柱体３の軸心線方向ＣＬに突出して、半球状に形成される。
【００３６】
円形穴３５は、基礎支柱体３の軸心線３ａと同心に配置される。円形穴３５は、円筒支柱２６内に形成される。円形穴３５は、円筒支柱２６の他方端２６ｂに開口される。円形穴３５は、基礎支柱体３の軸心線方向ＣＬにおいて、円筒支柱２６の他方端２６ｂ及び一方端２６ａ側に延在される。
【００３７】
半球状穴３６は、円筒支柱２６内に形成される。半球状穴３６は、円筒支柱２６の一方端２６ａ側に形成される。半球状穴３６は、円形穴３５に連続される。
半球状穴３６は、例えば、円形穴３５と同一直径（同一半径）を有する。
【００３８】
旋回横穴５７は、図１、図４乃至図６、図１０及び図１２に示すように、円筒支柱２６の一方端２６ａに形成される。旋回横穴５７は、基礎支柱体３の軸線直交方向ＣＨにおいて、円筒支柱２６を貫通する。旋回横穴５７は、円筒支柱２６の半球状穴３６に開口される。
これにより、旋回横穴５７は、半球状穴３６を円筒支柱３外側に連通する。
【００３９】
複数の旋回縦穴５８，５９は、円筒支柱２６の外周面２６Ａに形成される。旋回縦穴５８（左側・旋回縦穴）は、図１、図５、図１０及び図１２に示すように、旋回横穴５７の一方穴端に連続して形成される。旋回縦穴５８は、旋回横穴５７の一方穴端から基礎支柱体３の軸心線方向ＣＬに延在される。旋回縦穴５８は、円筒支柱２６の半球状穴３６及び円形穴３５に開口される。
これにより、旋回縦穴５８（左側・旋回縦穴）は、半球状穴３６及び円形穴５３を円筒支柱２６外側に連通する。
旋回縦穴５９（右側・旋回縦穴）は、旋回横穴５７の他方穴端に連続して形成される。旋回縦穴５９は、旋回横穴５７の他方穴端から基礎支柱体３の軸心線方向ＣＬに延在される。旋回縦穴５９は、円筒支柱２６の半球状穴３６及び円形穴３５に開口される。
これにより、旋回横穴５９は、半球状穴３６及び円形穴３５を円筒支柱２６外側に連通する。
各旋回縦穴５８，５９は、図１０（ａ）に示すように、基礎支柱体３の軸心直交方向ＣＨにおいて、基礎支柱体３の軸心線３ａの両側（左右側）に対向配置される。
各旋回縦穴５８，５９において、基礎支柱体３の軸心線方向ＣＬの穴長さＬは、例えば、図１３及び図１４に示すように、旋回軸４１を基礎支柱体３の軸心線３ａと直交する位置に旋回できる穴長さにする。各旋回横穴５８，５９の穴長さＬは、円筒支柱２６の一方端２６ａからの距離である。
【００４０】
筒側環状リング溝３８は、基礎支柱体３の軸心線３ａと同心に配置される。筒側環状リング溝３８は、円筒支柱２６の他方端２６ｂ側（開口端側）に位置して、円形穴３５の内周面３５ａに形成される。
筒側環状リング溝３８は、基礎支柱体３の軸心直交方向ＣＨに溝深さを有し、例えば、断面長方形に形成される。
筒側環状リング溝３８は、円形穴３５内に開口される。筒側環状リング溝３８は、基礎支柱体３の周方向にわたって形成される。
【００４１】
円筒支柱２６は、他方端２６ｂの開口から円支柱２５の小径円支柱２５Ｂ（他方軸端２５ｂ側）に外嵌される。円筒支柱２６は、小径円支柱２５Ｂに対し回転自在に外嵌される。
円筒支柱２６は、他方端２６ｂを大径円支柱２５Ａの一軸端２５ｃに当接して、円支柱２５に立設される。円筒支柱２６において、円形穴３５には、円支柱２５の小径円支柱２５Ｂ（他方軸端２５ｂ側）が挿入される。
【００４２】
円筒支柱２６を円支柱２５（小径円支柱２５Ｂ）に外嵌すると、筒側環状リング溝３８は、円形穴３５内にて柱側環状リング溝２８に対向される。
また、円筒支柱２６を円支柱２５に外嵌すると、スナップリング３３は、円形穴３５の内周面３５ａに当接して縮径され、円形穴３５内にて筒側環状リング溝３８内に挿入される。スナップリング３３は、柱側環状リング溝２８内及び筒側環状リング溝３８内に挿入される。
スナップリング３３は、筒側環状リング溝３８内の挿入に伴って拡径され、筒側環状リング溝３８の溝底面３８ａ（溝内周面）に付勢（圧接）される（図６参照）。
これにより、円筒支柱２６は、各リング溝２８，３８内に挿入されたスナップリング３３によって、円支柱２５に対し抜止めされる。
また、円筒支柱２６は、筒側環状リング溝３８の溝底面３８ａ（溝内周面）に付勢（圧接）されるスナップリング３３によって、円支柱２５に対し回止めされる。
【００４３】
円筒支柱２６を円支柱２５に外嵌すると、円支柱２５の転動ボール３１は、円筒支柱２６の円形穴３５の内周面３５ａに摺接（当接）される。なお、固定ボール３２は、環状ボール溝２９内に位置して、円筒支柱２６の円形穴３５の内周面３５ａに当接しない。
【００４４】
＜旋回軸体５＞
旋回軸体５は、基礎支柱体３（円筒支柱２６）に旋回自在に支持される。旋回軸体５は、基礎支柱体３の軸心直交方向ＣＨに旋回される。
【００４５】
旋回軸体５は、図１、図４乃至図６、図１１及び図１２に示すように、球状部材４０、及び旋回軸４０を有する。球状部材４０の球中心線、及び旋回軸４１の軸心線は、旋回軸体５の軸心線５Ａと同心に配置される。
旋回軸４１は、球状部材４０に連結される。旋回軸４１は、ネジ軸部４１Ａを有する。
【００４６】
旋回軸体５は、図４乃至図６に示すように、旋回軸４１から円筒支柱２６の他方端２６ｂ（開口端）を通して円形穴３５内に配置される。旋回軸体５は、軸心線５Ａを基礎支柱体３の軸心線３ａと同心として円形穴３５内に配置される。
【００４７】
球状部材４０は、円筒支柱２６の半球状穴３６内に配置される。球状部材４０は、半球状穴３６の内周面３６ａに摺接（当接）される。
【００４８】
旋回軸４１は、円形穴３５から旋回横穴５７を摺動自在に挿通（貫通）する。旋回軸４１は、旋回横穴５７を通して円筒支柱２６から延出（突出）される。旋回軸４１は、各旋回縦穴５８，５９に対して摺動自在である。
【００４９】
旋回軸体５は、旋回軸４１を旋回横穴５７及び各旋回縦穴５８，５９に沿って摺動しつつ旋回すると、球状部材４０は回転される。このとき、球状部材４０は、円筒支柱２６の半球状穴３６の内周面３６ａに摺接しつつ回転される。
これにより、旋回軸体５（旋回軸４１）は、基礎支柱体３の軸心直交方向ＣＨに旋回自在として円筒支柱２６の他方端２６ａ側に支持される。
【００５０】
＜座金６＞
座金６は、図４乃至図６に示すように、円筒支柱２６の円形穴３５内に挿入される。座金６は、円筒支柱２６の他方端２６ｂ側から旋回軸体５の球状部材４０に当接される。
【００５１】
＜バネ材７＞
バネ材７は、図４乃至図６に示すように、円筒支柱２６の円形穴３５内に挿入される。バネ材７は、座金６及び円支柱２５（小径円支柱２５Ｂ）の他方軸端２５ｂ間に配置される。バネ材７は、圧縮されて、座金６及び円支柱２５の他方軸端２５ｂに当接される。
バネ材６は、旋回軸体５の球状部材４０を円筒支柱２６の半球状穴３６の内周面３６ａに付勢（圧接）する。
これにより、旋回軸体５は、バネ材６の付勢力（バネ力）によって、基礎支柱体３（円筒支柱２６）に対し旋回止めされる。
【００５２】
＜灯保持具９＞
灯保持具９は、図１、図２、図４、図６及び図１２に示すように、旋回軸体５に取付けられ、保安灯Ｙ１，Ｙ２を保持する（図１６乃至図２０参照）。
【００５３】
灯保持具９は、一対の保持平板４５，４６、及び連結平板４７で構成される。各保持平板４５，４６は、可撓性を有し、例えば、鋼薄板で形成される。各保持平板４５，４６は、基礎支柱体３の軸心直交方向ＣＨに間隔を隔てて並設される。各保持平板４５，４６は、円孤状に形成され、相互間に円形保持穴４８を形成する。
連結平板４７は、各保持平板４５，４６と同様に、例えば、鋼薄板で構成される。連結平板４７は、各保持平板４５，４６の一方端側に固定され、各保持平板４５，４６を連結する。連結平板４７は、取付穴４７Ａを有する。取付穴４７Ａは、連結平板４７を貫通する。
【００５４】
灯保持具９は、第１及び第２取付ナット８，１０によって、旋回軸体３の旋回軸４１に取付けられる。
第１取付ナット８は、旋回軸４１のネジ軸部４１Ａに螺着される。
灯保持具９は、連結平板４７の取付穴４７Ａに旋回軸４１を挿通（貫通）して、連結平板４７を第１取付ナット８に当接する。
第２取付ナット１０は、旋回軸４１のネジ軸部４１Ａに螺着され、第１取付ナット８とで灯保持具９の連結平板４７を挟持する。
これにより、灯保持具９は、旋回軸体５の旋回軸４１に取付けられる。
【００５５】
保安灯スタンドＸは、第１に、旋回軸体３及び灯保持具９を任意の位置（任意の旋回角度）に旋回できる。
具体的に説明すると、保安灯スタンドＸを設置する者（以下、「設置者」）は、基礎台座１を固定し、灯保持具９を把持する。
続いて、設置者は、図１、図１３及び図１４に示すように、バネ材６の付勢力（バネ力）に抗して、灯保持具９及び旋回軸４１を任意の位置（任意の旋回角度）まで旋回する。このとき、旋回軸体５の旋回軸４１は、旋回横穴５７及び各旋回縦穴５８，５９にて案内されながら、基礎支柱体３の軸心直交方向ＣＨに旋回される。旋回軸体３の球状部材４０は、円筒支柱２６の半球状穴３６の内周面３６ａに摺接しつつ回転される。
設置者が灯保持具９を離すと、旋回軸体５の球状部材４０は、図６及び図１４に示すように、バネ材６の付勢力（バネ力）によって円筒支柱２６の半球状穴３６の内周面３６ａに付勢（圧接）される。
これにより、旋回軸体５及び灯保持具９は、バネ材６の付勢力（バネ力）によって旋回止めされ、旋回した任意の位置（任意の旋回角度）に保持される。
【００５６】
保安灯スタンドＸは、第２に、円筒支柱２６（旋回軸体５、灯保持具９）を任意の位置（任意の回転角）に回転できる。
具体的に説明すると、設置者は、基礎台座１を固定して、灯保持具９（又は、円筒支柱２５）を把持する。
続いて、設置者は、スナップリング３３の付勢力（バネ力）に抗して、図１、図２及び図７に示すように、例えば、円筒支柱２６を円支柱２５に対してＡ方向に回転する。このとき、スナップリング３３は、円筒支柱２６とともに回転、又は筒側環状リング溝３８の溝底面３８ａに対して滑る。
設置者が灯保持具９（又は円筒支柱２６）を離すと、スナップリング３３は、図６及び図７に示すように、筒側環状リング溝３８の溝底面３８ａに付勢（圧接）される。
これにより、円筒支柱２６は、スナップリング３３の付勢力（バネ力）によって回り止めされ、任意の位置（任意の回転角）に保持される。
また、円筒支柱２６を回転すると、転動ボール３１は、円形穴３５の内周面３５ａに摺接し、及び環状ボール溝２９の溝面２９Ａに摺接しつつ、環状ボール溝２９内を転動する。環状ボール溝２９内を転動する転動ボール３１は、図１５（ａ）及び図１５（ｂ）に示すように、固定ボール３２に当接し、更に、円筒支柱２６を回転すると、固定ボール３２及び円形穴３５の内周面３５ａ間に噛込まれる。このとき、固定ボール３１はボール溝穴３０から抜出ない。
これにより、円筒支柱２６は、転動ボール３１及び固定ボール３２によって、回り止めされ、角度：約３６０度を超える回転が規制される。
なお、固定ボール３２及び円形穴３５の内周面３５ａ間に噛込まれた転動ボール３１は、噛込んだ方向と逆方向の回転によって、固定ボール３１及び円形穴３５の内周面３５ａから抜出され、再び環状ボール溝２９内を転動する。
【００５７】
次に、保安灯スタンドＸの適用例１、及び適用例２について、図１乃至図２０を参照して説明する。
【００５８】
＜適用例１＞
図１６乃至図１８において、保安灯スタンドＸは、工事現場を含む立入禁止区域の立ち入りを規制する単管バリケードＺ１に取付けられ、保安灯Ｙ１を保持する。
【００５９】
図１６乃至図１８において、単管バリケードＺ１は、一対のバリケード脚部材１０１，１０１、及び２本の単管１０２，１０２で構成される。各単管１０２，１０２（鋼部品）は、例えば、鋼管で構成される。各単管１０２，１０２は、各バリケード脚部材１０１，１０１間に架渡され、複数のクランプ１０３にて各バリケード脚部材１０１，１０１に固定される。
【００６０】
保安灯Ｙ１は、表示器１１１及び表示軸１１２で構成される。表示器１１１は、複数の発光ダイオード（図示しない）を内蔵し、夜間等に発光ダイオードを点灯又は点滅させる。表示軸１１２は、表示器１１１の下面１１１Ａに取付けられる。
【００６１】
設置者は、保安灯スタンドＸを把持して、永久磁石２の裏面２Ｂを単管１０２（上段の単管）に向ける。
続いて、設置者は、図１８に示すように、永久磁石２の裏面２Ｂを単管１０２に当接して、保安灯スタンドＸを単管１０２上に載置する。
これにより、保安灯スタンドＸは、永久磁石２の磁力によって単管１０２に固定される。
【００６２】
設置者は、旋回軸体５（旋回軸４１）を旋回し、及び円筒支柱２６を円支柱２５に対して回転することで、灯保持具９を任意の位置に位置決めする。灯保持具９は、例えば、図１６乃至図１８に示すように、基礎支柱体３の軸心線３ａと直交する位置に位置決めする。
【００６３】
続いて、設置者は、図１６乃至図１８に示すように、保安灯Ｙ１の表示軸１１２を灯保持具９で保持する。
保安灯Ｙ１において、表示軸１１２は、各保持平板４５，４６間の円形保持穴４８に挿入され、各保持平板４５，４６を弾性変形する。
これにより、灯保持具９は、各保持平板４５，４６にて保安灯の表示軸１１２を挟持して保持する。
保安灯Ｙ１は、図１７及び図１８に示すように、保安灯スタンドＸによって単管バリケードＺ１に設置される。
なお、保安灯スタンドＸを単管１０２から取外す際には、図１乃至図３、及び図５に示すように、ドライバー等の工具（図示しない）を切込み溝１８から台座側周平板１６内に挿入し、ドライバーによって取外す。
【００６４】
＜適用例２＞
図１９及び図２０において、保安灯スタンドＸは、工事現場を含む立入禁止区域の立ち入りを規制する仮囲いＺＡの鋼製パネルＺ２に取付けられ、保安灯Ｙ２を保持する。
【００６５】
工事現場の仮囲いＺＡは、図１９に示すように、複数枚の鋼製パネルＺ２を並設して構成される。仮囲いＺＡは、複数枚の鋼製パネルＺ１を地面に立設して、工事現場（工事区域）を囲む。
【００６６】
保安灯Ｙ２は、図１９及び図２０に示すように、例えば可撓性パイプ１２１及び複数の発光ダイオード（図示しない）で構成される。複数の発光ダイオードは、可動性パイプ１２１内に間隔を隔てて内蔵される。保安灯Ｙ２は、夜間等に複数の発光ダイオード（図示しない）を点灯又は点滅する。
【００６７】
設置者は、保安灯スタンドＸを複数用意し、図１９に示すように、各保安灯スタンドＸ，Ｘ，…を仮囲いＺＡに配置する。各保安灯スタンドＸ，Ｘ，…は、図１９に示すように、仮囲いＺＡに対して間隔を隔てて配置され、永久磁石２の裏面２Ｂを各鋼製パネルＺ２に当接する。
これにより、各保安灯スタンドＸ，Ｘ，…は、図２０（ａ）に示すように、永久磁石２の磁力によって仮囲いＺＡの各鋼製パネルＺ２に固定される。
設置者は、旋回軸体５を旋回し、及び円筒支柱２５を円支柱２６に対して回転して、灯保持具９を任意の位置に位置決めする。灯保持具９は、図２０に示すように、例えば、基礎支柱体３の軸心線方向ＣＬに向けて位置決めする。
【００６８】
続いて、設置者は、図１９及び図２０に示すように、保安灯Ｙ２を各保安灯スタンドＸ，Ｘ，…で保持する。保安灯Ｙ２の可撓性パイプ１２１は、各保安灯スタンドＸ，Ｘ，…において、灯保持具９の各保持平板４５，４６に掛ける。保安灯Ｙ２の可撓性パイプ１１２は、各保安灯スタンドＸ，Ｘ，…において、灯保持具９の円形保持穴４８内に通され、灯保持具９（各保持平板４５，４６）で保持する。
これにより、保安灯Ｙ２（可撓性パイプ１２１、複数の発光ダイオード）は、複数の保安灯スタンドＸ，Ｘ，…によって、仮囲いＺＡの各鋼製パネルＺ２にわたって設置される。
【産業上の利用可能性】
【００６９】
本考案に係る保安灯スタンドは、工場現場への立ち入りを規制する単管バリケード等に保安灯を設置するのに最適である。
【符号の説明】
【００７０】
Ｘ  保安灯スタンド
１  基礎台座
２  永久磁石
３  基礎支柱体
５  旋回軸体
６  座金
７  バネ材
９  灯保持具
２５  円支柱
２６  円筒支柱
２８  柱側環状リング溝
２９  環状ボール溝
３０  ボール溝穴
３１  転動ボール
３２  固定ボール
３３  スナップリング
３５  円形穴
３６  半球状穴
３８  筒側環状リング溝
４０  球状部材
４１  旋回軸
５７  旋回横穴
５８，５９  旋回縦穴
Ｚ１  単管バリケード
ＺＡ  仮囲い
Ｚ１  鋼製パネル
Ｙ１，Ｙ２  保安灯
【図１】
0003203719.tif 000003
【図２】
0003203719.tif 000004
【図３】
0003203719.tif 000005
【図４】
0003203719.tif 000006
【図５】
0003203719.tif 000007
【図６】
0003203719.tif 000008
【図７】
0003203719.tif 000009
【図８】
0003203719.tif 000010
【図９】
0003203719.tif 000011
【図１０】
0003203719.tif 000012
【図１１】
0003203719.tif 000013
【図１２】
0003203719.tif 000014
【図１３】
0003203719.tif 000015
【図１４】
0003203719.tif 000016
【図１５】
0003203719.tif 000017
【図１６】
0003203719.tif 000018
【図１７】
0003203719.tif 000019
【図１８】
0003203719.tif 000020
【図１９】
0003203719.tif 000021
【図２０】
0003203719.tif 000022